(57)【要約】      （修正有）【課題】複数の端末の各々に対し設定情報を容易に設定することができる設定端末、無線テレメータシステム、及び設定方法を提供する。【解決手段】第１子機Ａ１は、第１狭域無線通信部４５１と、第１制御部４２１とを備える。第１狭域無線通信部は、第ｑ（ｑは、２以上Ｎ以下の整数）子機Ａｑと無線通信する。第１制御部は、第１狭域無線通信部を制御し、無線制御動作を行う。無線制御動作は、第１子機に設定器５０が有線接続又は限定接続された状態で、設定器を介して第１子機に入力された第ｑ子機を稼働させるための第ｑ設定情報を、第１制御部が第１狭域無線通信部により第ｑ子機に無線送信することで、第ｑ子機に対し第ｑ設定情報を設定する。【選択図】図７
2019153998.tif 000002
【特許請求の範囲】
【請求項１】
互いに無線通信可能な第１端末〜第Ｎ（Ｎは、２以上の整数）端末を備える無線テレメータシステムに含まれる設定端末であって、
前記設定端末である前記第１端末は、
第ｑ（ｑは、２以上Ｎ以下の整数）端末と無線通信する第１通信部と、
前記第１通信部を制御する第１制御部と
を備え、
前記第１制御部は、無線制御動作を行い、
前記無線制御動作は、前記第１端末に設定器が有線接続又は限定接続された状態で、前記設定器を介して前記第１端末に入力された前記第ｑ端末を稼働させるための第ｑ設定情報を、前記第１制御部が前記第１通信部により前記第ｑ端末に無線送信することで、前記第ｑ端末に対し前記第ｑ設定情報を設定することを示す、設定端末。
【請求項２】
前記第１制御部は、前記第１制御部の動作モードを、無線設定器モード及び有線設定器モードのうちのいずれかに決定可能であり、
前記無線設定器モードでは、前記第１制御部が前記無線制御動作を行い、
前記有線設定器モードでは、前記第１制御部が有線制御動作を行い、
前記有線制御動作は、前記第１端末に前記設定器が有線接続又は限定接続された状態で、前記設定器が受け付けた前記第１端末を稼働させるための第１設定情報を、前記第１制御部が前記第１端末に対し設定することを示す、請求項１に記載の設定端末。
【請求項３】
前記第１端末に前記設定器が有線接続又は限定接続された状態で、前記設定器が受け付けた前記第１制御部の動作モードを指定する指定情報に基づいて、前記第１制御部が前記第１制御部の動作モードを決定する、請求項２に記載の設定端末。
【請求項４】
前記第１端末、及び前記第ｑ端末の各々は、子機である、請求項１から請求項３のいずれか１項に記載の設定端末。
【請求項５】
互いに無線通信可能な第１端末〜第Ｎ（Ｎは、２以上の整数）端末を備える無線テレメータシステムに含まれる設定端末であって、
前記設定端末である第ｑ（ｑは、２以上Ｎ以下の整数）端末は、
前記第１端末と無線通信する第ｑ通信部と、
前記第ｑ通信部を制御する第ｑ制御部と
を備え、
前記第１端末に設定器が有線接続又は限定接続された状態で、前記設定器を介して前記第１端末に入力されて前記第１端末から無線送信された前記第ｑ端末を稼働させるための第ｑ設定情報を、前記第ｑ制御部が前記第ｑ通信部により受信することで、前記第ｑ端末に対し前記第ｑ設定情報を設定する、設定端末。
【請求項６】
互いに無線通信可能な第１端末〜第Ｎ（Ｎは、２以上の整数）端末を含む無線テレメータシステムであって、
前記第１端末は、
第ｑ（ｑは、２以上Ｎ以下の整数）端末と無線通信する第１通信部と、
前記第１通信部を制御する第１制御部と
を有し、
前記第ｑ端末は、
前記第１端末と無線通信する第ｑ通信部と、
前記第ｑ通信部を制御する第ｑ制御部と
を有し、
前記第１端末に設定器が有線接続又は限定接続された状態で、前記設定器を介して前記第１端末に入力された前記第ｑ端末を稼働させるための第ｑ設定情報を、前記第１制御部が前記第１通信部により無線送信し、かつ、前記第ｑ制御部が前記第ｑ通信部により前記第１端末から無線送信された前記第ｑ設定情報を受信することで、前記第ｑ端末に対し前記第ｑ設定情報を設定する、無線テレメータシステム。
【請求項７】
互いに無線通信可能な第１端末〜第Ｎ（Ｎは、２以上の整数）端末を含む無線テレメータシステムのうちの第ｑ（ｑは、２以上Ｎ以下の整数）端末に対し、前記第ｑ端末を稼働させるために第ｑ設定情報を設定する設定方法であって、
前記第１端末に設定器を有線接続又は限定接続する工程と、
前記設定器を介して前記第１端末に前記第ｑ設定情報を入力する工程と、
前記第１端末が前記第ｑ設定情報を無線送信する工程と、
前記第１端末から無線送信された前記第ｑ設定情報を前記第ｑ端末が受信する工程と、
前記第ｑ端末に対し前記第ｑ設定情報を設定する工程と
を備える、設定方法。
【発明の詳細な説明】
【技術分野】
【０００１】
本発明は、設定端末、無線テレメータシステム、及び設定方法に関する。
【背景技術】
【０００２】
特許文献１に記載の無線テレメータシステムは、管理センタによって需要家のマイコンメータを自動検針した時、給湯器リモコンにガス使用料金情報を通知する。そして、無線テレメータシステムは、給湯器リモコンに含まれるデータ蓄積部に料金情報を蓄積する。そして、無線テレメータシステムは、データ蓄積部に蓄積した料金情報をデータ加工部によって加工し、利用者に必要な情報を提供する。
【先行技術文献】
【特許文献】
【０００３】
【特許文献１】特開平１０−０２８２９６号公報
【発明の概要】
【発明が解決しようとする課題】
【０００４】
一般に、無線テレメータシステムにおいて、子機に対し子機を稼働させるための設定情報が設定される場合、子機に対し設定器が有線接続される。そして、設定器を介して子機に対し設定情報が設定される。
【０００５】
しかし、子機（端末）が複数存在する場合、作業者は、設定情報の設定対象の子機を変更する毎に、設定対象の子機の設置場所まで移動し、設定対象の子機に設定器を有線接続しなければならなかった。その結果、煩雑な作業を要した。
【０００６】
本発明は、複数の端末の各々に対し設定情報を容易に設定することができる設定端末、無線テレメータシステム、及び設定方法を提供することを目的としている。
【課題を解決するための手段】
【０００７】
本発明の第１の局面によれば、無線テレメータシステムは、互いに無線通信可能な第１端末〜第Ｎ（Ｎは、２以上の整数）端末を含む。設定端末は、第１端末である。第１端末は、第１通信部と、第１制御部とを備える。第１通信部は、第ｑ（ｑは、２以上Ｎ以下の整数）端末と無線通信する。第１制御部は、前記第１通信部を制御する。前記第１制御部は、無線制御動作を行う。無線制御動作は、前記第１端末に設定器が有線接続又は限定接続された状態で、前記設定器を介して前記第１端末に入力された前記第ｑ端末を稼働させるための第ｑ設定情報を、前記第１制御部が前記第１通信部により前記第ｑ端末に無線送信することで、前記第ｑ端末に対し前記第ｑ設定情報を設定することを示す。
【０００８】
本発明の第２の局面によれば、無線テレメータシステムは、互いに無線通信可能な第１端末〜第Ｎ（Ｎは、２以上の整数）端末を含む。設定端末は、無線テレメータシステムのうちの第ｑ（ｑは、２以上Ｎ以下の整数）端末である。第ｑ端末は、第ｑ通信部と、第ｑ制御部とを備える。第ｑ通信部は、前記第１端末と無線通信する。第ｑ制御部は、前記第ｑ通信部を制御する。前記第１端末に設定器が有線接続又は限定接続された状態で、前記設定器を介して前記第１端末に入力されて前記第１端末から無線送信された前記第ｑ端末を稼働させるための第ｑ設定情報を、前記第ｑ制御部が前記第ｑ通信部により受信することで、前記第ｑ端末に対し前記第ｑ設定情報を設定する。
【０００９】
本発明の第３の局面によれば、無線テレメータシステムは、互いに無線通信可能な第１端末〜第Ｎ（Ｎは、２以上の整数）端末を含む。前記第１端末は、第１通信部と、第１制御部とを有する。第１通信部は、第ｑ（ｑは、２以上Ｎ以下の整数）端末と無線通信する。第１制御部は、前記第１通信部を制御する。前記第ｑ端末は、第ｑ通信部と、第ｑ制御部とを有する。第ｑ通信部は、前記第１端末と無線通信する。第ｑ制御部は、前記第ｑ通信部を制御する。前記第１端末に設定器が有線接続又は限定接続された状態で、前記設定器を介して前記第１端末に入力された前記第ｑ端末を稼働させるための第ｑ設定情報を、前記第１制御部が前記第１通信部により無線送信すると共に、前記第ｑ制御部が前記第ｑ通信部により前記第１端末から無線送信された前記第ｑ設定情報を受信することで、前記第ｑ端末に対し前記第ｑ設定情報を設定する。
【００１０】
本発明の第４の局面によれば、設定方法は、無線テレメータシステムのうちの第ｑ（ｑは、２以上Ｎ以下の整数）端末に対し第ｑ端末を稼働させるための第ｑ設定情報を設定する設定方法である。無線テレメータシステムは、互いに無線通信可能な第１端末〜第Ｎ（Ｎは、２以上の整数）端末を含む。設定方法は、前記第１端末に設定器を有線接続又は限定接続する工程を備える。設定方法は、前記設定器を介して前記第１端末に前記第ｑ設定情報を入力する工程を備える。設定方法は、前記第１端末が前記第ｑ設定情報を無線送信する工程を備える。設定方法は、前記第１端末から無線送信された前記第ｑ設定情報を前記第ｑ端末が受信する工程を備える。設定方法は、前記第ｑ端末に対し前記第ｑ設定情報を設定する工程を備える。
【発明の効果】
【００１１】
本発明によれば、複数の端末の各々に対し設定情報を容易に設定することができる。
【図面の簡単な説明】
【００１２】
【図１】本発明の実施形態に係る無線テレメータシステムのブロック図である。
【図２】サーバのブロック図である。
【図３】親機のブロック図である。
【図４】第ｐ子機のブロック図である。
【図５】設定器のブロック図である。
【図６】子機の第ｐ設定情報を設定する手順を示すフロー図である。
【図７】無線設定器モードを示す模式図である。
【図８】有線設定器モードを示す模式図である。
【図９】第ｑ子機に対する第ｑ設定情報の設定処理を示すフロー図である。
【図１０】第１子機に対する第１設定情報の設定処理を示すフロー図である。
【発明を実施するための形態】
【００１３】
本発明の実施形態について、図面を参照しながら説明する。なお、図中、同一又は相当部分については同一の参照符号を付して説明を繰り返さない。
【００１４】
図１を参照して、本発明の実施形態に係る無線テレメータシステム１００について説明する。図１は、本発明の実施形態に係る無線テレメータシステム１００のブロック図である。
【００１５】
図１に示すように、無線テレメータシステム１００は、複数の計測場所で計測された計測値を収集するシステムである。
【００１６】
無線テレメータシステム１００は、サーバ１０と、センタ側網制御部２０と、複数の設定端末Ｘと、第１計測装置Ｂ１〜第Ｎ計測装置ＢＮとを備える。複数の設定端末Ｘは、親機３０と、第１子機Ａ１〜第Ｎ子機ＡＮとを含む。Ｎは、２以上の整数である。第１子機Ａ１〜第Ｎ子機ＡＮは、本発明の第１端末〜第Ｎ端末の一例である。
【００１７】
サーバ１０は、親機３０、及び第１計測装置Ｂ１〜第Ｎ計測装置ＢＮを介して、第１計測装置Ｂ１〜第Ｎ計測装置ＢＮの各々が計測した計測値を収集する。
【００１８】
センタ側網制御部２０は、サーバ１０が親機３０と通信するための通信処理を仲介する。センタ側網制御部２０とサーバ１０とは有線又は無線で接続される。センタ側網制御部２０と親機３０とは、例えば、ＰＨＳ網、及びＦＯＭＡ網のような広域無線網Ｎ１に接続される。センタ側網制御部２０と親機３０とは、広域無線網Ｎ１を介して互いに無線通信を行う。
【００１９】
なお、本実施形態では、センタ側網制御部２０と親機３０とを広域無線網Ｎ１により接続するが、本発明はこれに限定されない。センタ側網制御部２０と親機３０とは、有線のＩＰ網、及び公衆網のような通信網で互いに接続されてもよい。また、センタ側網制御部２０と親機３０とは、有線接続されてもよい。また、広域無線網Ｎ１に複数の親機３０が接続されてもよい。
【００２０】
センタ側網制御部２０は、例えば、通信事業者の公衆網に設けられる。センタ側網制御部２０は、広域無線網Ｎ１を介して親機３０及び第ｐ子機Ａｐのような端末側の装置の通信を制御する。ｐは、１以上、Ｎ以下の整数である。第ｐ子機Ａｐは、第１子機Ａ１〜第Ｎ子機ＡＮのうちのいずれかを示す。第ｐ子機Ａｐは、本発明の第ｐ端末の一例である。
【００２１】
センタ側網制御部２０がサーバ１０から電文を受信した場合、センタ側網制御部２０は、広域無線網Ｎ１の通信規格に準拠した通信方式で端末側の装置へ電文を送信する。また、センタ側網制御部２０は、広域無線網Ｎ１を介して端末側の装置から電文を受信した場合、受信した電文をサーバ１０へ送信する。
【００２２】
親機３０は、広域無線網Ｎ１を介して、センタ側網制御部２０及びサーバ１０のようなセンタ側の装置に接続される。親機３０は、狭域無線網Ｎ２を介して第１子機Ａ１〜第Ｎ子機ＡＮの各々に接続される。
【００２３】
親機３０は、第１子機Ａ１〜第Ｎ子機ＡＮの各々と無線接続される。親機３０は、第１子機Ａ１〜第Ｎ子機ＡＮの各々と無線通信可能である。具体的には、親機３０は、第１子機Ａ１〜第Ｎ子機ＡＮの各々から電文を受信することができ、かつ、第１子機Ａ１〜第Ｎ子機ＡＮの各々に対し電文を送信することができる。
【００２４】
第１子機Ａ１〜第Ｎ子機ＡＮの各々は、互いに無線接続される。第１子機Ａ１〜第Ｎ子機ＡＮの各々は、互いに無線通信可能である。具体的には、第１子機Ａ１〜第Ｎ子機ＡＮのうちの１の子機は他の１つの子機に対し電文を送信することができ、かつ、１つの子機は他の１つの子機から電文を受信することができる。
【００２５】
狭域無線網Ｎ２、及びセンタ側網制御部２０を介して第ｐ子機Ａｐがサーバ１０から電文を受信した場合、第ｐ子機Ａｐは、受信した電文が自機宛の電文であるか否かを判定する。第ｐ子機Ａｐが受信した電文の宛先アドレスとして第ｐ子機Ａｐの識別番号が指定されている場合、受信した電文が自機宛の電文であると第ｐ子機Ａｐが判定する。そして、第ｐ子機Ａｐは、受信した電文に含まれるデータの内容に基づいて各種の処理を実行することができる。
【００２６】
第１計測装置Ｂ１〜第Ｎ計測装置ＢＮの各々は、例えば、需要家に設置される。第１計測装置Ｂ１〜第Ｎ計測装置ＢＮの各々は、メータを含む。本実施形態では、第１計測装置Ｂ１〜第Ｎ計測装置ＢＮの各々は、事業体から需要家に対して供給される水道、ガス、及び電気のような供給物の使用量を計測する。
【００２７】
なお、第１計測装置Ｂ１〜第Ｎ計測装置ＢＮの各々が計測する対象は、特に限定されない。第１計測装置Ｂ１〜第Ｎ計測装置ＢＮの各々は、例えば、気温、大気汚染、及び地震のような環境の物理量を計測してもよい。
【００２８】
第１計測装置Ｂ１〜第Ｎ計測装置ＢＮの各々は、例えば、８ビット系メータであり、８ビット系の電文フォーマットによりセンタ側の装置と通信する機能を有する。
【００２９】
第ｐ計測装置Ｂｐは、第ｐ子機Ａｐに接続される。第ｐ計測装置Ｂｐは、第１計測装置Ｂ１〜第Ｎ計測装置ＢＮのうちのいずれかを示す。
【００３０】
第ｐ計測装置Ｂｐは、第ｐ計測装置Ｂｐが計測した供給物の使用量の計測値を第ｐ子機Ａｐに出力する。第ｐ計測装置Ｂｐと第ｐ子機Ａｐとは、電線１を介して有線接続される。なお、第ｐ計測装置Ｂｐと第ｐ子機Ａｐとが無線接続されてもよい。
【００３１】
第ｐ子機Ａｐは、第ｐ計測装置Ｂｐから供給物の使用量の計測値を取得する。その結果、第ｐ計測装置Ｂｐの計測値は、第ｐ子機Ａｐ、及び親機３０を介してサーバ１０に送信される。
【００３２】
第１計測装置Ｂ１〜第Ｎ計測装置ＢＮの各々の計測値は、サーバ１０に収集される。その結果、サーバ１０は、複数の需要家の供給物の使用量を把握することができる。
【００３３】
次に、図２を参照して、サーバ１０について説明する。図２は、サーバ１０のブロック図である。
【００３４】
図２に示すように、サーバ１０は、記憶部１１と、制御部１２と、通信部１３とを有する。
【００３５】
記憶部１１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１１は、制御部１２によって実行される種々のコンピュータープログラムを記憶する。また、記憶部１１は、例えば、複数の需要家の識別番号と、複数の需要家の供給物の使用量とをそれぞれ対応付けた顧客情報を記憶する。
【００３６】
制御部１２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１２は、記憶部１１に記憶されたコンピュータープログラムを実行することにより、サーバ１０の各要素を制御する。
【００３７】
通信部１３は、広域無線網Ｎ１を介して親機３０と無線通信を行う。通信部１３は、例えば、ＦＯＭＡのような広域通信可能な通信モジュールである。なお、通信部１３は、親機３０と有線通信を行ってもよい。
【００３８】
次に、図３を参照して、親機３０について説明する。図３は、親機３０のブロック図である。
【００３９】
図３に示すように、親機３０は、記憶部３１と、制御部３２と、入力部３３と、表示部３４と、広域無線通信部３５と、狭域無線通信部３６と、接続部３７とを有する。
【００４０】
記憶部３１は、主記憶装置を含み、補助記憶装置をさらに含んでもよい。記憶部３１は、制御部３２によって実行される種々のコンピュータープログラムを記憶する。
【００４１】
記憶部３１は、親機３０を稼働させるための設定情報αを記憶する。親機３０の設定情報αは、親機３０が第１子機Ａ１〜第Ｎ子機ＡＮと無線通信を行うために設定される情報とを含む。親機３０の設定情報αは、例えば、親機３０の識別番号、第１子機Ａ１〜第Ｎ子機ＡＮの各々の識別番号、現在の時刻、及び／又は、無線チャネルを示す。
【００４２】
制御部３２は、プロセッサーを含む。制御部３２は、記憶部３１に記憶されたコンピュータープログラムを実行することにより、親機３０の各要素を制御する。
【００４３】
入力部３３は、親機３０に対する指示を受け付ける。入力部３３は、例えば、ディップスイッチのような各種スイッチ、ボタン、及び／又は、タッチパネルを含む。
【００４４】
表示部３４は、例えば、保守作業を行う作業者に通知すべき情報を表示する。表示部３４は、例えば、ＬＥＤ、及び液晶表示パネルを含む。
【００４５】
広域無線通信部３５は、アンテナ（不図示）を通じて電波を送信及び受信することによって、広域無線網Ｎ１を介した無線通信を行う。広域無線通信部３５は、例えば、ＦＯＭＡのような広域通信可能な通信モジュールである。親機３０は、例えば、広域無線通信部３５を介して第ｐ計測装置Ｂｐの計測値をサーバ１０へ送信する。
【００４６】
広域無線通信部３５は、アンテナにて電波を受信した場合、受信した電波をデコードすることにより電文を取得する。広域無線通信部３５は、デコードして得られる電文を制御部３２へ出力する。制御部３２は、例えば、広域無線通信部３５から出力された電文を取得した場合、取得した電文に応じた処理を行う。制御部３２は、例えば、広域無線通信部３５から出力された電文を取得した場合、狭域無線通信部３６を介して第１子機Ａ１〜第Ｎ子機ＡＮの各々へ電文を転送する処理を行う。
【００４７】
本実施形態では、広域無線通信部３５は親機３０に含まれる。しかし、本発明はこれに限定されない。広域無線通信部３５は外部の端末に含まれ、親機３０に含まれなくてもよい。この場合、親機３０から外部の端末に通信を行い、外部の端末の広域無線通信３５を経由して電文を送信する。
【００４８】
狭域無線通信部３６は、アンテナ（不図示）を介して電波を発信及び受信することによって、第１子機Ａ１〜第Ｎ子機ＡＮとの間で、所定の無線通信方式にて通信を行う。無線通信方式としては、例えば、特定小電力無線方式が採用される。特定小電力無線方式では、周波数割当帯域として、４２６ＭＨｚ帯域の他、より通信速度の速い９２０ＭＨｚ帯域が用いられる。狭域無線通信部３６は、例えば、９２０ＭＨｚ帯域通信用のＲＦ−ＬＳＩを使用した通信モジュールである。
【００４９】
狭域無線通信部３６の電文送信処理の一例を説明する。狭域無線通信部３６は、電文の送信先の第ｐ子機Ａｐを探索するための探索信号として、ビーコンを間欠的に送信する。ビーコンには、親機３０を識別するための無線機番号が含まれている。狭域無線通信部３６は、第ｐ子機Ａｐが送信したビーコンを受信した場合、ピーコンに含まれる無線機番号より特定される第ｐ子機Ａｐに電文を送信する。
【００５０】
狭域無線通信部３６の電文送信処理の二例を説明する。狭域無線通信部３６は、第ｐ子機Ａｐに電文を送信する際に、第ｐ子機Ａｐを起動するための起動信号を送信する。そして、第ｐ子機Ａｐが起動信号に対する応答を返すと、狭域無線通信部３６は、第ｐ子機Ａｐに電文を送信する。
【００５１】
接続部３７は、設定器５０を接続するための１又は複数のポートを有する。親機３０は、接続部３７を介して設定器５０と有線接続可能である。親機３０は、例えば、電線１によって設定器５０と有線接続される。
【００５２】
親機３０に設定器５０が有線接続されることで、親機３０に対し設定情報αを設定することが可能になる。設定情報αを設定するとは、設定情報αを最初に設定することと、設定情報αを再設定することとの両方の意味を含む。
【００５３】
次に、図４を参照して、第ｐ子機Ａｐについて説明する。図４は、第ｐ子機Ａｐのブロック図である。
【００５４】
図４に示すように、第ｐ子機Ａｐは、第ｐ記憶部４１ｐと、第ｐ制御部４２ｐと、第ｐ入力部４３ｐと、第ｐ表示部４４ｐと、第ｐ狭域無線通信部４５ｐと、第ｐ計測装置用接続部４６ｐと、第ｐ設定器用接続部４７ｐとを有する。
【００５５】
第ｐ記憶部４１ｐは、主記憶装置を含み、補助記憶装置をさらに含んでもよい。第ｐ記憶部４１ｐは、第ｐ制御部４２ｐによって実行される種々のコンピュータープログラムを記憶する。
【００５６】
第ｐ記憶部４１ｐは、第ｐ子機Ａｐを稼働させるための第ｐ設定情報βｐを記憶する。第ｐ設定情報βｐは、第ｐ子機Ａｐが親機３０と無線通信を行うために設定される情報を含む。また、第ｐ設定情報βｐは、第ｐ子機Ａｐが、他の子機と無線通信を行うために設定される情報を含む。他の子機は、第１子機Ａ１〜第Ｎ子機ＡＮのうち第ｐ子機Ａｐ以外の子機を示す。
【００５７】
第ｐ設定情報βｐは、例えば、親機３０の識別番号、第１子機Ａ１〜第Ｎ子機ＡＮの各々の識別番号、現在の時刻、第ｐ計測装置Ｂｐの計測値を第ｐ子機Ａｐが取得する予定時刻、及び／又は、無線チャネルを示す。
【００５８】
第ｐ制御部４２ｐは、プロセッサーを含む。第ｐ制御部４２ｐは、第ｐ記憶部４１ｐに記憶されたコンピュータープログラムを実行することにより、第ｐ子機Ａｐの各要素を制御する。
【００５９】
第ｐ入力部４３ｐは、第ｐ子機Ａｐに対する指示を受け付ける。第ｐ入力部４３ｐは、例えば、ディップスイッチのような各種スイッチ、ボタン、及び／又は、タッチパネルを含む。
【００６０】
第ｐ表示部４４ｐは、例えば、保守作業を行う作業者に通知すべき情報を表示する。第ｐ表示部４４ｐは、例えば、ＬＥＤ、及び液晶表示パネルを含む。
【００６１】
第ｐ狭域無線通信部４５ｐは、アンテナ（不図示）を介して電波を送信及び受信することによって、親機３０及び他の子機との間で、所定の無線通信方式にて通信を行う。第ｐ狭域無線通信部４５ｐは、例えば、９２０ＭＨｚ帯域通信用のＲＦ−ＬＳＩを使用した通信モジュールである。第ｐ狭域無線通信部４５ｐは、親機３０の狭域無線通信部３６と同様の機能を有する。
【００６２】
第ｐ計測装置用接続部４６ｐは、第ｐ計測装置Ｂｐを接続するための１又は複数のポートを備える。第ｐ計測装置用接続部４６ｐは、電線１によって第ｐ計測装置Ｂｐと有線接続される。第ｐ計測装置用接続部４６ｐは、電線１を介して第ｐ計測装置Ｂｐの計測値を取得する。
【００６３】
第ｐ設定器用接続部４７ｐは、設定器５０を接続するための１又は複数のポートを有する。第ｐ子機Ａｐは、第ｐ設定器用接続部４７ｐを介して設定器５０と有線接続可能である。第ｐ子機Ａｐは、例えば、電線１を介して設定器５０と有線接続される。なお、設定器５０は、第ｐ設定器用接続部４７ｐの代わりに第ｐ計測装置用接続部４６ｐに接続してもよい。
【００６４】
なお、第１子機Ａ１に設定器５０が有線接続された状態は、本実施形態のように、電線１のような電気信号を送信可能な線材を介して第１子機Ａ１と設定器５０とが互いに接続された状態に限定されない。第１子機Ａ１に設定器５０が有線接続された状態には、電線１のような線材を用いずに、第１子機Ａ１の第２接続部４７１と、設定器５０の接続部５５とが互いに連結された状態も含まれる。第１子機Ａ１の第２接続部４７１と、設定器５０の接続部５５とが互いに連結された状態は、設定器５０の接続部５５とが直接に連結された状態と、設定器５０の接続部５５とがアダプタのような介在部材を介して間接に連結された状態とを含む。
【００６５】
第ｐ子機Ａｐに設定器５０が有線接続されることで、第ｐ子機Ａｐに対し第ｐ設定情報βｐを設定することが可能になる。第ｐ設定情報βｐを設定するとは、第ｐ子機Ａｐに対し第ｐ設定情報βｐを最初に設定することと、第ｐ子機Ａｐに対し第ｐ設定情報βｐを再設定することとの両方の意味を含む。
【００６６】
第１子機Ａ１〜第Ｎ子機ＡＮに対しては、それぞれ、第１設定情報β１〜第Ｎ設定情報βＮが設定される。
【００６７】
次に、図５を参照して、設定器５０について説明する。図５は、設定器５０のブロック図である。
【００６８】
設定器５０は、親機３０に対し設定情報αを設定するためのデバイスである。また、設定器５０は、第１子機Ａ１〜第Ｎ子機ＡＮに対し、それぞれ、第１設定情報β１〜第Ｎ設定情報βＮを設定するためのデバイスである。
【００６９】
設定器５０は、記憶部５１と、制御部５２と、入力部５３と、表示部５４と、接続部５５とを有する。
【００７０】
記憶部５１は、主記憶装置を含み、補助記憶装置をさらに含んでもよい。記憶部５１は、制御部５２によって実行される種々のコンピュータープログラムを記憶する。
【００７１】
制御部５２は、プロセッサーを含む。制御部５２は、記憶部５１に記憶されたコンピュータープログラムを実行することにより、設定器５０の各要素を制御する。
【００７２】
入力部５３は、親機３０の設定情報αの入力を受け付ける。また、入力部５３は、第ｐ設定情報βｐの入力を受け付ける。入力部５３は、例えば、ディップスイッチのような各種スイッチ、ボタン、及び／又は、タッチパネルを含む。
【００７３】
表示部５４は、例えば、親機３０の設定情報αの入力画面、及び第ｐ設定情報βｐの入力画面を表示する。表示部５４は、例えば、ＬＥＤ、及び液晶表示パネルを含む。
【００７４】
次に、図６から図１０を参照して、子機の第ｐ設定情報βｐを設定する手順について説明する。図６は、子機の第ｐ設定情報βｐを設定する手順を示すフロー図である。
【００７５】
図６に示すように、ステップＳ１０において、第１子機Ａ１〜第Ｎ子機ＡＮの各々がデフォルトの状態では、第１子機Ａ１〜第Ｎ子機ＡＮの各々の動作モードが通常モードに設定される。
【００７６】
通常モードは、例えば、第ｐ子機Ａｐが第ｐ計測装置Ｂｐの測定値を取得する動作、及び取得した測定値を親機３０へ送信する動作を行い、無線テレメータシステム１００の一要素として動作するときの第ｐ子機Ａｐの動作モードを示す。
【００７７】
ステップＳ２０において、第１子機Ａ１に設定器５０が有線接続されているか否かを、第１子機Ａ１の第１制御部４２１が判定する。第１子機Ａ１に設定器５０が有線接続されると、設定器５０の制御部５２が、第１子機Ａ１の第１制御部４２１に対し、設定器５０が有線接続されたことを示す接続情報を送信する。
【００７８】
第１子機Ａ１の第１制御部４２１は、接続情報を受信した場合、第１子機Ａ１に設定器５０が有線接続されていると判定する（ステップＳ２０で、Ｙｅｓ）。ステップＳ２０で、Ｙｅｓの場合、処理がステップＳ３０に移行する。
【００７９】
これに対し、第１子機Ａ１の第１制御部４２１は、接続情報を受信しない場合、第１子機Ａ１に設定器５０が有線接続されていないと判定する（ステップＳ２０で、Ｎｏ）。ステップＳ２０で、Ｎｏの場合、ステップＳ２０に示す処理が繰り返される。
【００８０】
ステップＳ３０において、設定器５０の入力部５３は、対象子機の指定を受け付ける。つまり、作業者は、設定器５０の入力部５３を介して、対象子機を指定する。
【００８１】
対象子機は、第１子機Ａ１〜第Ｎ子機ＡＮのうち、設定情報を設定される子機を示す。
【００８２】
作業者は、例えば、設定器５０の入力部５３を介して、対象子機の識別番号を入力することで、対象子機を指定する。作業者は、対象子機として第１子機Ａ１を指定する場合、入力部５３を介して、第１子機Ａ１の識別番号を入力する。作業者は、対象子機として第ｑ子機Ａｑを指定する場合、入力部５３を介して、第ｑ子機Ａｑの識別番号を入力する。入力部５３が受け付けた対象子機の識別番号は、電線１を介して第１子機Ａ１に有線送信される。ｑは、２以上、Ｎ以下の整数である。
【００８３】
なお、ステップＳ３０において、作業者が第１子機Ａ１を対象子機に指定する場合、作業者は第１子機Ａ１の識別情報を入力しなくてもよく、対象子機の識別情報を入力する作業が不要とされてもよい。そして、作業者が、第２子機Ａ２〜第Ｎ子機ＡＮのうちのいずれかを対象子機に指定する場合のみ、対象子機の識別情報を入力する作業が必要とされてもよい。
【００８４】
ステップＳ４０において、設定器５０の入力部５３は、対象子機の設定情報を受け付ける。つまり、作業者は、入力部５３を介して、対象子機の設定情報を入力する。例えば、作業者は、第１子機Ａ１を対象子機に指定した場合、入力部５３を介して第１設定情報β１を入力する。また、作業者は、第ｑ子機Ａｑを対象子機に指定した場合、入力部５３を介して第ｑ設定情報βｑを入力する。入力部５３が受け付けた対象子機の識別情報は、電線１を介して第１子機Ａ１に有線送信される。
【００８５】
ステップＳ５０において、第１子機Ａ１の第１制御部４２１は、第１子機Ａ１の動作モードとして無線設定器モードが選択されたか否かを判定する。詳細には、第１子機Ａ１の第１制御部４２１は、第１子機Ａ１の動作モードとして、無線設定器モード、及び有線設定器モードのうちいずれが選択されたかを判定する。
【００８６】
無線設定器モードは、第１子機Ａ１を介して第ｑ子機Ａｑに対し第ｑ設定情報βｑが設定されるときの第１子機Ａ１及び第ｑ子機Ａｑの各々の動作モードを示す。第ｑ子機Ａｑは、第１子機Ａ１以外の子機であり、第２子機Ａ２〜第Ｎ子機ＡＮのうちのいずれかを示す。第ｑ子機Ａｑは、本発明の第ｑ端末の一例である。
【００８７】
有線設定器モードは、第１子機Ａ１に対し第１設定情報β１が設定されるときの第１子機Ａ１の動作モードを示す。
【００８８】
作業者は、設定器５０の入力部５３を介して、無線設定器モード、及び有線設定器モードのうちのいずれかを選択する。入力部５３が受け付けた無線設定器モードを選択することを示す情報、及び有線設定器モードを選択することを示す情報は、電線１を介して第１子機Ａ１の第１制御部４２１に有線送信される。
【００８９】
図７は、無線設定器モードを示す模式図である。
【００９０】
図７に示すように、作業者は、第ｑ子機Ａｑに対し第ｑ設定情報βｑを設定する場合、無線設定器モードを選択する。この場合、作業者は、設定器５０の入力部５３を介して無線選択情報を入力する。無線選択情報は、無線設定器モードを選択することを示す情報である。設定器５０の入力部５３が無線選択情報を受け付けると、設定器５０の制御部５２は、第１子機Ａ１の第１制御部４２１に対し電線１を介して無線選択情報を送信する。無線選択情報は、無線設定器モードが選択されたことを示す情報である。第１子機Ａ１の第１制御部４２１が無線選択情報を受信すると、第１子機Ａ１の第１制御部４２１は、無線設定器モードが選択されたと判定する（ステップＳ５０で、Ｙｅｓ）。ステップＳ５０で、Ｙｅｓの場合、処理がステップＳ６０に移行する。無線選択情報は、本発明の指定情報の一例である。
【００９１】
図８は、有線設定器モードを示す模式図である。
【００９２】
図８に示すように、作業者は、第１子機Ａ１に対し第１設定情報β１を設定する場合、有線設定器モードを選択する。この場合、作業者は、設定器５０の入力部５３を介して有線選択情報を入力する。有線選択情報は、有線設定器モードを選択することを示す情報である。設定器５０の入力部５３が有線選択情報を受け付けると、設定器５０の制御部５２は、第１子機Ａ１の第１制御部４２１に対し電線１を介して有線選択情報を出力する。有線選択情報は、有線設定器モードが選択されたことを示す情報である。第１子機Ａ１の第１制御部４２１が有線選択情報を受信すると、第１子機Ａ１の第１制御部４２１は、有線設定器モードが選択されたと判定する（ステップＳ５０で、Ｎｏ）。ステップＳ５０で、Ｎｏの場合、処理がステップＳ１１０に移行する。有線選択情報は、本発明の指定情報の二例である。
【００９３】
なお、設定器５０が無線選択情報を送信せずに、第１設定情報β１を送信し、第１子機Ａ１の第１制御部４２１が無線選択情報を受信せずに第１設定情報β１を受信した場合、第１子機Ａ１の第１制御部４２１は、有線設定器モードが選択されたと判定してもよい（ステップＳ５０で、Ｎｏ）。言い換えれば、第１子機Ａ１の第１制御部４２１は、無線選択情報を受信した場合、無線設定器モードが選択されたと判定する（ステップＳ５０で、Ｙｅｓ）。これに対し、第１子機Ａ１の第１制御部４２１は、無線選択情報及び有線選択情報を受信することなく第１設定情報β１を受信した場合、有線設定器モードが選択されたと判定する（ステップＳ５０で、Ｎｏ）。その結果、有線設定情報の入力が不要になる。
【００９４】
また、第１子機Ａ１の第１制御部４２１は、以下のように、無線設定器モードと有線設定器モードとのうちいずれが選択されたかを判定してもよい。まず、第１子機Ａ１の第１制御部４２１は、有線選択情報を受信した場合、有線設定器モードが選択されたと判定する（ステップＳ５０で、Ｎｏ）。これに対し、第１子機Ａ１の第１制御部４２１は、無線選択情報及び有線選択情報を受信することなく第ｑ設定情報βｑを受信した場合、無線設定器モードが選択されたと判定する（ステップＳ５０で、Ｙｅｓ）。その結果、無線設定情報の入力が不要になる。
【００９５】
なお、ユーザーは、対象子機の識別番号（ステップＳ３０参照）と、対象子機の設定情報（ステップＳ４０参照）と、無線選択情報又は有線選択情報（ステップＳ５０参照）とを一括して入力部５３に入力する。そして、第１子機Ａ１の第１制御部４２１は、対象子機の識別番号と、対象子機の設定情報と、無線選択情報又は有線選択情報とを同時に受信してもよい。
【００９６】
図６及び図７に示すように、ステップＳ６０において、第１子機Ａ１の第１制御部４２１は、第１子機Ａ１の動作モードを無線設定器モードに決定する。その結果、第１子機Ａ１の動作モードが通常モードから無線設定器モードに移行する。
【００９７】
本実施形態では、第１子機Ａ１の動作モードが無線設定器モードのとき、第１子機Ａ１の第１制御部４２１は、第２子機Ａ２〜第Ｎ子機ＡＮの各々からの電文を受け付けない。また、第１子機Ａ１の動作モードが無線設定器モードのとき、第１子機Ａ１の第１制御部４２１は、親機３０からの電文を受け付けない。
【００９８】
ステップＳ７０において、第１子機Ａ１の第１制御部４２１は、第ｑ子機Ａｑの第ｑ制御部４２ｑに対し、対象子機に指定されたことを示す対象情報を送信する。対象情報は、第１子機Ａ１の第１狭域無線通信部４５１、及び第ｑ子機Ａｑの第ｑ狭域無線通信部４５ｑにより、第１子機Ａ１から第ｑ子機Ａｑへ無線送信される。対象情報は、言い換えれば、第１子機Ａ１が第ｑ子機Ａｑに対し設定器５０の代わりに第ｑ設定情報βｑを送信することを、第ｑ子機Ａｑに認識させるための情報である。
【００９９】
第１狭域無線通信部４５１は、本発明の第１通信部の一例である。第ｑ狭域無線通信部４５ｑは、本発明の第ｑ通信部の一例である。
【０１００】
第ｑ子機Ａｑの第ｑ制御部４２ｑが対象情報を受信すると、第ｑ子機Ａｑの動作モードが通常モードから無線設定器モードに移行する。
【０１０１】
本実施形態では、第ｑ子機Ａｑの動作モードが無線設定器モードのとき、第ｑ子機Ａｑの第ｑ制御部４２ｑは、他の子機からの電文を受け付けない。また、第ｑ子機Ａｑの動作モードが無線設定器モードのとき、第ｑ子機Ａｑの第ｑ制御部４２ｑは、親機３０からの電文を受け付けない。また、第ｑ子機Ａｑの動作モードが無線設定器モードのとき、第ｑ子機Ａｑの第ｑ制御部４２ｑは、第１子機Ａ１から無線送信される情報は、第ｑ子機Ａｑでクローズドする情報であり、かつ、第ｑ設定情報βｑであると認識する。
【０１０２】
ステップＳ８０において、第ｑ子機Ａｑに対する第ｑ設定情報βｑの設定処理（無線制御動作）が行われる。
【０１０３】
図９は、第ｑ子機Ａｑに対する第ｑ設定情報βｑの設定処理を示すフロー図である。図７及び図９を参照して、本発明の第１実施形態である第ｑ子機Ａｑに対する第ｑ設定情報βｑの設定処理について説明する。
【０１０４】
ステップＳ８１において、第１子機Ａ１の第１制御部４２１が、第１狭域無線通信部４５１により第ｑ子機Ａｑに対し、第ｑ設定情報βｑを無線送信する。
【０１０５】
ステップＳ８２において、第１子機Ａ１から無線送信された第ｑ設定情報βｑを、第ｑ子機Ａｑの第ｑ制御部４２ｑが第ｑ狭域無線通信部４５ｑにより受信する。
【０１０６】
ステップＳ８３において、第ｑ子機Ａｑの第ｑ制御部４２ｑは、第ｑ設定情報βｑを受信することで、第ｑ設定情報βｑの設定を受け付ける。その結果、第ｑ子機Ａｑに対し第ｑ設定情報βｑが設定される。
【０１０７】
第ｑ制御部４２ｑが第ｑ設定情報βｑの設定を受け付けるとは、通常モード時において、第ｑ子機Ａｑの第ｑ制御部４２ｑが第ｑ設定情報βｑに基づいて稼働することを示す。
【０１０８】
なお、第ｑ子機Ａｑに対し第ｑ設定情報βｑが設定される際、第ｑ設定情報βｑが第ｑ記憶部４１ｑに記憶される。なお、第ｑ設定情報βｑが再設定される場合は、第ｑ記憶部４１ｑに記憶される第ｑ設定情報βｑが最新のものに更新される。
【０１０９】
ステップＳ８３に示す処理が終了すると、処理がステップＳ９０に移行する。
【０１１０】
図６及び図７に示すように、ステップＳ９０において、第１子機Ａ１の第１制御部４２１は、第ｑ設定情報βｑの設定処理が終了したか否かを判定する。
【０１１１】
第ｑ設定情報βｑの設定処理が終了すると、作業者は、設定器５０の入力部５３を介して、第ｑ設定情報βｑの設定処理が終了したことを示す第ｑ終了情報を入力する。第ｑ終了情報は、電線１を介して設定器５０から第１子機Ａ１に有線送信される。また、第ｑ終了情報は、第１狭域無線通信部４５１及び第ｑ狭域無線通信部４５ｑにより、第１子機Ａ１から第ｑ子機Ａｑに無線送信される。
【０１１２】
第１子機Ａ１の第１制御部４２１は、第ｑ終了情報を受信した場合、第ｑ設定情報βｑの設定処理が終了したと判定する（ステップＳ９０で、Ｙｅｓ）。ステップＳ９０で、Ｙｅｓの場合、処理がステップＳ１００に移行する。
【０１１３】
これに対し、第１子機Ａ１の第１制御部４２１は、第ｑ終了情報を受信しない場合、第ｑ設定情報βｑの設定処理が終了していないと判定する（ステップＳ９０で、Ｎｏ）。ステップＳ９０で、Ｎｏの場合、処理がステップＳ８０に移行する。
【０１１４】
ステップＳ１００において、第１子機Ａ１の第１制御部４２１が第ｑ終了情報を受信すると、第１子機Ａ１の動作モードが無線設定器モードから通常モードに移行する。また、第ｑ子機Ａｑの第ｑ制御部４２ｑが第ｑ終了情報を受信すると、第ｑ子機Ａｑの動作モードが無線設定器モードから通常モードに移行する。その結果、第ｑ子機Ａｑに対し第ｑ設定情報βｑを設定する処理が終了する。
【０１１５】
ステップＳ１１０において、第１子機Ａ１の第１制御部４２１は、第１子機Ａ１の動作モードを有線設定器モードに決定する。その結果、第１子機Ａ１の動作モードが通常モードから有線設定器モードに移行する。
【０１１６】
ステップＳ１２０において、第１子機Ａ１に対する第１設定情報β１の設定処理（有線制御動作）が行われる。
【０１１７】
図１０は、第１子機Ａ１に対する第１設定情報β１の設定処理を示すフロー図である。図８及び図１０を参照して、本発明の第２実施形態である第１子機Ａ１に対する第１設定情報β１の設定処理について説明する。
【０１１８】
図８及び図１０に示すように、ステップＳ１２１において、第１子機Ａ１の第１制御部４２１は、第１設定情報β１を受信することで、第１設定情報β１の設定を受け付ける。その結果、第１子機Ａ１に対し第１設定情報β１が設定される。
【０１１９】
ステップＳ１２１に示す処理が終了すると、処理がステップＳ１３０に移行する。
【０１２０】
図６及び図８に示すように、ステップＳ１３０において、第１子機Ａ１の第１制御部４２１は、第１設定情報β１の設定処理が終了したか否かを判定する。
【０１２１】
第１設定情報β１の設定処理が終了すると、作業者は、設定器５０の入力部５３を介して、第１設定情報β１の設定処理が終了したことを示す第１終了情報を入力する。第１終了情報は、電線１を介して設定器５０から第１子機Ａ１に有線送信される。
【０１２２】
第１子機Ａ１の第１制御部４２１は、第１終了情報を受信した場合、第１設定情報β１の設定処理が終了したと判定する（ステップＳ１３０で、Ｙｅｓ）。ステップＳ１３０で、Ｙｅｓの場合、処理がステップＳ１４０に移行する。
【０１２３】
これに対し、第１子機Ａ１の第１制御部４２１は、第１終了情報を受信しない場合、第１設定情報β１の設定処理が終了していないと判定する（ステップＳ１３０で、Ｎｏ）。ステップＳ１３０で、Ｎｏの場合、処理がステップＳ１２０に移行する。
【０１２４】
ステップＳ１４０において、第１子機Ａ１の第１制御部４２１が第１終了情報を受信すると、第１子機Ａ１の動作モードが無線設定器モードから通常モードに移行する。その結果、第１子機Ａ１に対し第１設定情報β１を設定する処理が終了する。
【０１２５】
以上、図６から図１０を参照して説明したように、ステップＳ８１からステップＳ８３において、第１子機Ａ１に設定器５０が有線接続された状態で、設定器５０を介して第１子機Ａ１に入力された第ｑ子機Ａｑの第ｑ設定情報βｑを、第１制御部４２１が第１狭域無線通信部４５１により第ｑ子機Ａｑに無線送信することで、第ｑ子機Ａｑに対し第ｑ設定情報βｑを設定する。従って、作業者は、第ｑ子機Ａｑに対し第ｑ設定情報βｑを設定する際、第ｑ子機Ａｑの設置場所まで移動する必要がなく、第１子機Ａ１の設置場所から第ｑ子機Ａｑに対し第ｑ設定情報βｑを設定することができる。その結果、作業者は、第１子機Ａ１の無線通信機能を利用して無線経由で複数の子機に対し設定情報を設定でき、複数の子機に対し設定情報を容易に設定することができる。
【０１２６】
なお、設定器５０に対し無線通信機能を持たせ、第１子機Ａ１を介することなく、設定器５０と第ｑ子機Ａｑとを無線接続する。そして、第ｑ子機Ａｑに対し、設定器５０から無線信号を送信して、第ｑ設定情報βｑを設定する構成が考えられる。しかし、既にある設定器５０に無線通信機能を追加して、既にある設定器５０を設計変更しなければならず、設定器５０の製造コストの点で不利である。また、設定器５０の装置構成が複雑になる。これに対し、本実施形態のように、既にある設定器５０を設計変更することなく、第１子機Ａ１の無線通信機能を利用することで、第ｑ子機Ａｑに対し第ｑ設定情報βｑを合理的に設定することができる。また、既にある設定器５０を利用するので設定器５０の製造コストの増加を抑制できる。また、設定器５０に無線通信機能を追加する必要がなく、設定器５０の装置構成をシンプルにすることができる。
【０１２７】
また、ステップＳ５０に示すように、第１制御部４２１の動作モードを、無線設定器モード及び有線設定器モードのうちのいずれかに決定可能である。従って、作業者は、設定情報の設定対象の子機に合わせて第１制御部４２１の動作モードを変更することができる。
【０１２８】
以上、図面（図１〜図１０）を参照しながら本発明の実施形態について説明した。但し、本発明は、上記の実施形態に限られるものではなく、その要旨を逸脱しない範囲で種々の態様において第３実施形態として実施することが可能である（例えば、（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１２９】
（１）本実施形態では、無線設定器モードにおいて、第１子機Ａ１に設定器５０が有線接続された状態で、第１子機Ａ１を介して第ｑ子機Ａｑに対し無線通信を用いて第ｑ設定情報βｑが設定される。しかし、本発明は、これに限定されない。
【０１３０】
無線設定器モードにおいて、第１子機Ａ１に設定器５０が有線接続された状態で、第１子機Ａ１を介して親機３０に対し無線通信を用いて設定情報αが設定されてもよい。つまり、親機３０を、本発明の第ｑ端末の一例に含めてもよい。
【０１３１】
また、無線設定器モードにおいて、親機３０に設定器５０が有線接続された状態で、親機３０を介して第ｐ子機Ａｐに対し無線通信を用いて第ｐ設定情報βｐが設定されてもよい。つまり、親機３０を、本発明の第１端末の一例に含めてもよい。
【０１３２】
また、親機３０が複数の場合、複数の親機３０のうちの第１の親機に設定器５０が有線接続された状態で、第１の親機を介して第２の親機に対し無線通信を用いて設定情報αが設定されてもよい。つまり、第１の親機を本発明の第１端末の一例に含め、さらに、第２の親機を本発明の第ｑ端末の一例に含めてもよい。
【０１３３】
（２）親機３０との親子関係の縁組が完了していない第ｐ子機Ａｐが親機３０との縁組が完了するまでは、第ｐ子機Ａｐの動作モードが無線機設定モードに移行できないようにしてもよい。また、親機３０との親子関係の縁組が完了していない第ｐ子機Ａｐに対し設定器５０が有線接続され、設定器５０から第ｐ子機Ａｐに信号が送信された場合、設定器５０と第ｐ子機Ａｐとの間に親子関係の縁組が成立しないようにしてもよい。この場合、例えば、設定器５０からの信号が縁組の信号ではないことを示すフラグを設定器５０及び／又は第ｐ子機Ａｐに設けることにより、設定器５０と第ｐ子機Ａｐとの間に親子関係の縁組が成立することを防止する。
【０１３４】
（３）図６に示すステップＳ３０に示す処理が、ステップＳ６０に示す処理と、ステップＳ７０に示す処理との間に行われてもよい。
【０１３５】
（４）図６に示すステップＳ５０で無線設定器モードが選択される場合、ステップＳ４０に示す処理がステップＳ７０に示す処理と、ステップＳ８０に示す処理との間に行われてもよい。しかし、本実施形態のように、ステップＳ７０に示す処理よりも前（第１子機Ａ１と第ｑ子機Ａｑとが無線接続されるよりも前）にステップＳ４０に示す処理が行われる方が、無線接続後、作業者による設定情報の入力待ちにより、第１子機Ａ１の消費電力が増加することを抑制できる点で有利である。
【０１３６】
（５）図６に示すステップＳ５０で有線設定器モードが選択される場合、ステップＳ４０に示す処理がステップＳ１１０に示す処理と、ステップＳ１２０に示す処理との間に行われてもよい。
【０１３７】
（６）本実施形態では、設定器５０は、第１子機Ａ１に有線接続され、第１子機Ａ１と有線通信する。しかし、本発明は、これに限定されない。設定器５０は、第１子機Ａ１〜第Ｎ子機ＡＮの各々と限定接続可能であってもよい。そして、設定器５０は、第１子機Ａ１に限定接続され、第１子機Ａ１と無線通信を行ってもよい。限定接続は、設定器５０と第１子機Ａ１との無線通信可能な距離が所定の距離の範囲内に限られた設定器５０と第１子機Ａ１との無線による接続を示す。所定の距離は、例えば、１００メートルである。設定器５０は、第１子機Ａ１に限定接続されることで、第１子機Ａ１と近距離の範囲で無線通信を行うことができる。
【０１３８】
設定器５０と第１子機Ａ１とは、例えば、ＮＦＣ、又はＲＦＩＤのような短距離無線用の通信モジュールにより限定接続される。なお、設定器５０と第１子機Ａ１とは、Ｂｌｕｅｔｏｏｈ、又はＺｉｇＢｅｅ（登録商標）のような無線ＰＡＮ（ＷＰＡＮ）用の通信モジュールにより限定接続されてもよい。また、設定器５０と第１子機Ａ１とは、ＷｉＦｉのような無線ＬＡＮ用の通信モジュールにより限定接続されてもよい。
【０１３９】
設定器５０が第１子機Ａ１に限定接続可能な場合、図６に示すステップＳ２０において、第１子機Ａ１に設定器５０が限定接続されているか否かを、第１子機Ａ１の第１制御部４２１が判定する。
【０１４０】
設定器５０が第１子機Ａ１に限定接続される場合、有線機設定モードにおいて、設定器５０に入力された第１設定情報β１は、設定器５０から第１子機Ａ１に無線送信される。その結果、第１子機Ａ１に第１設定情報β１が設定される。
【０１４１】
設定器５０が第１子機Ａ１に限定接続される場合、無線機設定モードにおいて、設定器５０に入力された第ｑ設定情報βｑは、設定器５０から第１子機Ａ１に無線送信された後、第１子機Ａ１から第ｑ子機Ａｑに無線送信される。その結果、第ｑ子機Ａｑに第ｑ設定情報βｑが設定される。
【０１４２】
なお、第１子機Ａ１と第ｑ子機Ａｑとの無線通信可能な距離は、限定接続のように限定されない。第１子機Ａ１及び第ｑ子機Ａｑは、遠距離の無線通信を行うことができ、設定器５０及び第１子機Ａ１よりも広い範囲で無線通信を行うことができる。
【０１４３】
設定器５０が第１子機Ａ１に限定接続されることで、作業者が設定器５０と第１子機Ａ１とを有線接続する手間を省くことができる。その結果、作業者は、複数の子機に対し設定情報をより容易に設定することができる。
【０１４４】
また、作業者は、設定器５０に対し限定接続可能な場所に位置する複数の子機のうち、バッテリの残量が最も多い子機に設定器５０を限定接続し、他の子機に対し設定情報を設定することが可能になる。
【産業上の利用可能性】
【０１４５】
本発明は、設定端末、無線テレメータシステム、及び設定方法の分野に利用可能である。
【符号の説明】
【０１４６】
４２ｑ  第ｑ制御部
４５ｑ  第ｑ狭域無線通信部（第ｑ通信部）
５０    設定器
１００  無線テレメータシステム
４２１  第１制御部
４５１  第１狭域無線通信部（第１通信部）
Ａ１    第１子機（第１端末）
ＡＮ    第Ｎ子機（第Ｎ端末）
Ａｐ    第ｐ子機（第ｐ端末）
Ａｑ    第ｑ子機（第ｑ端末）
Ｘ      設定端末
β１    第１設定情報
βｐ    第ｐ設定情報
βｑ    第ｑ設定情報
【図１】
2019153998.tif 000003
【図２】
2019153998.tif 000004
【図３】
2019153998.tif 000005
【図４】
2019153998.tif 000006
【図５】
2019153998.tif 000007
【図６】
2019153998.tif 000008
【図７】
2019153998.tif 000009
【図８】
2019153998.tif 000010
【図９】
2019153998.tif 000011
【図１０】
2019153998.tif 000012